(57)【要約】【課題】携帯時や摩擦操作時、操作部を誤って前方に押圧操作することを回避でき、しかも、円滑な摩擦操作性が維持される熱変色性筆記具を提供する。【解決手段】軸筒２の内部に筆記体３を軸方向に移動可能に収容する。筆記体３の内部に熱変色性インキ３３を収容する。操作部４をスライド孔２２に沿って軸方向に移動可能に構成する。操作部４を前方にスライド操作することにより筆記体３のペン先３１を軸筒２の前端孔２１から出没可能に構成する。軸筒２の後端部に、熱変色性インキ３３の筆跡を摩擦しその際に生じる摩擦熱で該筆跡を熱変色可能な低摩耗性の弾性材料からなる摩擦部７を設ける。ペン先没入状態における前記操作部４の前方への移動を阻止するロック装置を、摩擦部７より前方の軸筒２外面に設ける。【選択図】  図１
2015006732.tif 000002
【特許請求の範囲】
【請求項１】
軸筒の内部に筆記体を軸方向に移動可能に収容し、前記筆記体の内部に熱変色性インキを収容し、前記筆記体の前端に前記熱変色性インキが吐出可能なペン先を設け、前記軸筒の側壁に軸方向に延びるスライド孔を設け、前記スライド孔より操作部を径方向外方に突出させ、前記操作部を前記スライド孔に沿って軸方向に移動可能に構成し、前記操作部を前方にスライド操作することにより前記筆記体をペン先没入状態からペン先突出状態にさせ、前記軸筒の後端部に、前記熱変色性インキの筆跡を摩擦しその際に生じる摩擦熱で該筆跡を熱変色可能な低摩耗性の弾性材料からなる摩擦部を設けた熱変色性筆記具であって、ペン先没入状態における前記操作部の前方への移動を阻止するロック装置を、前記摩擦部より前方の軸筒外面に設けたことを特徴とする熱変色性筆記具。
【請求項２】
前記ロック装置が、一方が前記操作部に取り付けられ且つ他方が軸筒の外面の係合部に係脱自在に構成されるロック部材を備える請求項１記載の熱変色性筆記具。
【請求項３】
前記ロック装置が、一方が前記軸筒に取り付けられ且つ他方が操作部の係合部に係脱自在に構成されるロック部材を備える請求項１記載の熱変色性筆記具。
【請求項４】
前記ロック装置が、軸筒の外面に周方向に回転可能且つ軸方向移動不能に取り付けられる、切り欠き部を有する横断面Ｃ字状のロック部材を備え、前記ロック部材の切り欠き部以外の部分を前記操作部よりも前方の前記スライド孔上に位置させた状態にあるとき、前記操作部の前方への移動が阻止され、一方、前記ロック部材の切り欠き部を前記操作部よりも前方の前記スライド孔上に位置させた状態にあるとき、前記操作部の前方への移動が可能となる請求項１記載の熱変色性筆記具。
【請求項５】
前記軸筒内部に、前記操作部のスライド操作に連動して軸方向に移動可能な可動部を備え、
前記ロック装置が、一方が前記軸筒に取り付けられ且つ他方が前記可動部の係合部に係脱自在に構成されたロック部材を備える請求項１記載の熱変色性筆記具。
【発明の詳細な説明】
【技術分野】
【０００１】
本発明は、熱変色性筆記具に関する。
【背景技術】
【０００２】
特許文献１には、内部に熱変色性インキを収容した筆記体を軸筒内に収容し、前記軸筒に設けた操作体を操作して前記筆記体を前後方向に移動させ、前記筆記体のペン先を筆記具の先端から出没可能に構成した熱変色性筆記具であって、前記熱変色性インキの筆跡を摩擦しその際に生じる摩擦熱で該筆跡を熱変色可能な摩擦部と、少なくとも一の前記操作体としてのクリップ体とを備え、前記摩擦部を前記軸筒の後端に設けるとともに、前記軸筒における後端以外の部位に前記クリップ体を設けたことを特徴とする熱変色性筆記具が記載されている。
【０００３】
前記特許文献１の熱変色性筆記具は、携帯時や摩擦部を用いた摩擦操作時、誤って操作部に触れ、操作部を前方に押圧操作してしまうおそれがある。
【先行技術文献】
【特許文献】
【０００４】
【特許文献１】特開２０１２−６３１５号公報
【発明の概要】
【発明が解決しようとする課題】
【０００５】
本発明は、前記従来の問題点を解決するものであって、携帯時や摩擦操作時、操作部を誤って前方に押圧操作することを回避でき、しかも、円滑な摩擦操作性が維持される熱変色性筆記具を提供しようとするものである。
尚、本発明において、軸筒において、「前」とは前端孔側を指し、「後」とはその反対側を指し、筆記体において、「前」とはペン先側を指し、「後」とはその反対側を指す。本発明において、「ペン没入状態」とは、ペン先が軸筒内に没入された状態をいい、「ペン先突出状態」とはペン先が軸筒の前端孔より外部に突出した状態をいう。
【課題を解決するための手段】
【０００６】
本願の第１の発明は、軸筒２の内部に筆記体３を軸方向に移動可能に収容し、前記筆記体３の内部に熱変色性インキ３３を収容し、前記筆記体３の前端に前記熱変色性インキ３３が吐出可能なペン先３１を設け、前記軸筒２の側壁に軸方向に延びるスライド孔２２を設け、前記スライド孔２２より操作部４を径方向外方に突出させ、前記操作部４を前記スライド孔２２に沿って軸方向に移動可能に構成し、前記操作部４を前方にスライド操作することにより前記筆記体３をペン先没入状態からペン先突出状態にさせ、前記軸筒２の後端部に、前記熱変色性インキの筆跡を摩擦しその際に生じる摩擦熱で該筆跡を熱変色可能な低摩耗性の弾性材料からなる摩擦部７を設けた熱変色性筆記具であって、ペン先没入状態における前記操作部４の前方への移動を阻止するロック装置を、前記摩擦部４より前方の軸筒２外面に設けたことを要件とする。
【０００７】
前記第１の発明の熱変色性筆記具１は、ペン先没入状態における前記操作部４の前方への移動を阻止するロック装置を、前記摩擦部７より前方の軸筒２外面に設けたことにより、携帯時や摩擦操作時、ロック装置をロック状態にすることによって、操作部４を誤って前方に押圧操作することを回避でき、しかも、ロック状態のロック装置が摩擦操作性を阻害することなく、円滑な摩擦操作が可能となる。尚、本発明の出没機構は、少なくとも、ペン先突出操作（ペン先を没入状態から突出状態にさせる操作）が、操作部を前方にスライドさせる構造であり、ペン先没入操作（ペン先を突出状態から没入状態にさせる操作）は、ペン先突出操作同様、操作部を前方にスライドさせる構造であってもよいし、それ以外でもよい。
【０００８】
本願の第２の発明は、前記第１の発明の熱変色性筆記具１において、前記ロック装置が、一方が前記操作部４に取り付けられ且つ他方が軸筒２の外面の係合部９に係脱自在に構成されるロック部材８を備えることを要件とする。
【０００９】
前記第２の発明の熱変色性筆記具１は、前記ロック装置が、一方が前記操作部４に取り付けられ且つ他方が軸筒２の外面の係合部９に係脱自在に構成されるロック部材８を備えることにより、部品点数の少ない簡易なロック装置を得る。前記第２の発明の熱変色性筆記具１は、前記ロック装置のロック部材８が軸筒２の係合部９と係合状態にあるとき、前記操作部４の前方移動が阻止され、一方、前記ロック装置のロック部材８と軸筒２の係合部９との係合が解除された状態にあるとき、前記操作部４の前方移動が可能となる。
【００１０】
本願の第３の発明は、前記第１の発明の熱変色性筆記具１において、前記ロック装置が、一方が前記軸筒２に取り付けられ且つ他方が操作部４の係合部９に係脱自在に構成されるロック部材８を備えることを要件とする。
【００１１】
前記第３の発明の熱変色性筆記具１は、前記ロック装置が、一方が前記軸筒２に取り付けられ且つ他方が操作部４の係合部９に係脱自在に構成されるロック部材８を備えることにより、部品点数の少ない簡易なロック装置を得る。前記第３の発明の熱変色性筆記具１は、前記ロック装置のロック部材８が操作部４の係合部９と係合状態にあるとき、前記操作部４の前方移動が阻止され、一方、前記ロック装置のロック部材８と操作部４の係合部９との係合が解除された状態にあるとき、前記操作部４の前方移動が可能となる。
【００１２】
本願の第４の発明は、前記第１の発明の熱変色性筆記具１において、前記ロック装置が、軸筒２の外面に周方向に回転可能且つ軸方向移動不能に取り付けられる、切り欠き部８１を有する横断面Ｃ字状のロック部材８を備え、前記ロック部材８の切り欠き部８１以外の部分を前記操作部４よりも前方の前記スライド孔２２上に位置させた状態にあるとき、前記操作部４の前方への移動が阻止され、一方、前記ロック部材８の切り欠き部８１を前記操作部４よりも前方の前記スライド孔２２上に位置させた状態にあるとき、前記操作部４の前方への移動が可能となることを要件とする。
【００１３】
前記第４の発明の熱変色性筆記具１は、前記ロック装置が、軸筒２の外面に周方向に回転可能且つ軸方向移動不能に取り付けられる、切り欠き部８１を有する横断面Ｃ字状のロック部材８を備え、前記ロック部材８の切り欠き部８１以外の部分を前記操作部４よりも前方の前記スライド孔２２上に位置させた状態にあるとき、前記操作部４の前方への移動が阻止され、一方、前記ロック部材８の切り欠き部８１を前記操作部４よりも前方の前記スライド孔２２上に位置させた状態にあるとき、前記操作部４の前方への移動が可能となることにより、部品点数の少ない簡易なロック装置を得るとともに、ロック装置によってクリップの外観性が損なわれることがない。
【００１４】
本願の第５の発明は、前記第１の発明の熱変色性筆記具１において、前記軸筒２内部に、前記操作部４のスライド操作に連動して軸方向に移動可能な可動部５を備え、前記ロック装置が、一方が前記軸筒２に取り付けられ且つ他方が前記可動部５の係合部９に係脱自在に構成されたロック部材８を備えることを要件とする。
【００１５】
前記第５の発明の熱変色性筆記具１は、前記軸筒２内部に、前記操作部４のスライド操作に連動して軸方向に移動可能な可動部５を備え、前記ロック装置が、一方が前記軸筒２に取り付けられ且つ他方が前記可動部５の係合部９に係脱自在に構成されたロック部材８を備えることにより、部品点数の少ない簡易なロック装置を得るとともに、ロック装置によってクリップの外観性が損なわれることがない。前記第５の発明の熱変色性筆記具１は、前記ロック装置のロック部材８が可動部５と係合状態にあるとき、前記操作部４の前方移動が阻止され、一方、前記ロック装置のロック部材８と可動部５との係合が解除された状態にあるとき、前記操作部４の前方移動が可能となる。
【発明の効果】
【００１６】
本発明の熱変色性筆記具によれば、携帯時や摩擦操作時、操作部を誤って前方に押圧操作することを回避でき、しかも、円滑な摩擦操作性が維持される。
【図面の簡単な説明】
【００１７】
【図１】本発明の第１の実施の形態のペン先没入状態を示す側面図である。
【図２】図１の正面図である。
【図３】図１のペン先突出状態を示す側面図である。
【図４】図１の縦断面図である。
【図５】図３の縦断面図である。
【図６】本発明の第２の実施の形態のペン先没入状態を示す側面図である。
【図７】図６の正面図である。
【図８】図６のペン先突出状態を示す側面図である。
【図９】図６の縦断面図である。
【図１０】図８の縦断面図である。
【図１１】本発明の第３の実施の形態のペン先没入状態を示す側面図である。
【図１２】図１１のペン先突出状態を示す側面図である。
【図１３】図１１のＡ−Ａ線拡大矢視断面図である。
【図１４】図１２のＢ−Ｂ線拡大断面図である。
【図１５】図１１の縦断面図である。
【図１６】本発明の第４の実施の形態のペン先没入状態を示す縦断面図である。
【図１７】図１６のペン先突出状態を示す縦断面図である。
【図１８】熱変色性インキの変色挙動を示す説明図である。
【発明を実施するための形態】
【００１８】
図１乃至図５に本発明の実施の形態を示す。
【００１９】
＜第１の実施の形態＞
図１及び図５に本発明の第１の実施の形態を示す。
本実施の形態の熱変色性筆記具１は、軸筒２と、該軸筒２内に収容される筆記体３と、該筆記体３のペン先３１を軸筒２の前端孔２１より出没自在にさせる出没機構と、軸筒２の側壁より径方向外方に突出された操作部４と、ペン先没入状態における前記操作部４の前方への移動を阻止するロック装置と、軸筒２の後端部外面に設けた摩擦部７とを備える。
【００２０】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００２１】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００２２】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００２３】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００２４】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００２５】
・操作部
前記操作部４は、軸筒２側壁の軸方向に延びるスライド孔２２より径方向外方に突出される基部４１と、該基部４１より前方に連設されるクリップ部４２と、該基部４１より連設され且つ軸筒２内に軸方向に移動可能に収容される軸部４３と、を備える。前記クリップ部４２は、ポケット等の衣服を挟持可能である。前記操作部４は、合成樹脂（例えば、ポリカーボネート樹脂）の成形体により得られる。前記クリップ部４２の裏面（内面）に玉部４４が突設される。前記基部４１と前記クリップ部４２、前記基部４１と前記軸部４３、前記クリップ部４２と前記玉部４４のそれぞれは、一部材により一体に形成されるかまたは二分材の組立により形成される。
【００２６】
前記操作部４の基部４１が前記スライド孔２２に沿って軸方向に移動可能である。前記操作部４を前方に押圧操作することによって、筆記体３のペン先３１が軸筒２の前端孔２１から出没自在に構成される。
【００２７】
・ロック装置
前記ロック装置は、操作部４に取り付けられたロック部材８と、該ロック部材８と係脱自在の、軸筒２外面に設けた係合部９とからなる。前記係合部９は、径方向外方に突出する凸部からなる。前記ロック部材８は、コ字状の線状体からなり、その一端が操作部４に回動自在に取り付けられ、その他端が係合部９に係脱自在となる。前記係合部９は、摩擦部７より前方の軸筒２外面に突設される。
【００２８】
前記ロック装置のロック部材８が軸筒２の係合部９と係合状態にあるとき、前記操作部４の前方移動が阻止され、一方、前記ロック装置のロック部材８と軸筒２の係合部９との係合が解除された状態にあるとき、前記操作部４の前方移動が可能となる。
【００２９】
・ペン先の出没
ペン先没入状態から操作部４を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００３０】
ペン先突出状態から操作部４を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００３１】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２の全体もしくは後軸２ｃの全体が弾性材料により一体に形成される構成が挙げられる。
【００３２】
・熱変色性インキ
本実施の形態において、前記熱変色性インキ３３は、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００３３】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３４】
本実施の形態では、図１８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３５】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００３６】
本実施の形態の熱変色性筆記具１は、ペン先没入状態における前記操作部４の前方への移動を阻止するロック装置を、前記摩擦部より前方の軸筒２外面に設けたことにより、携帯時や摩擦操作時、ロック装置をロック状態にすることによって、操作部４を誤って前方に押圧操作することを回避でき、しかも、ロック状態のロック装置が摩擦操作性を阻害することなく、円滑な摩擦操作が可能となる。
【００３７】
本実施の形態の熱変色性筆記具１は、前記ロック装置が、一方が前記操作部４に接続され且つ他方が軸筒２の外面の係合部９に係脱自在に構成されるロック部材８を備えることにより、部品点数の少ない簡易なロック装置を得る。
【００３８】
＜第２の実施の形態＞
図６及び図１０に本発明の第２の実施の形態を示す。
本実施の形態の熱変色性筆記具１は、軸筒２と、該軸筒２内に収容される筆記体３と、該筆記体３のペン先３１を軸筒２の前端孔２１より出没自在にさせる出没機構と、軸筒２の側壁より径方向外方に突出された操作部４と、ペン先没入状態における前記操作部４の前方への移動を阻止するロック装置と、軸筒２の後端部外面に設けた摩擦部とを備える。
【００３９】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００４０】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００４１】
・軸筒２
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００４２】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００４３】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００４４】
・操作部
前記操作部４は、軸筒２側壁の軸方向に延びるスライド孔２２より径方向外方に突出される基部４１と、該基部４１より前方に連設されるクリップ部４２と、該基部４１より連設され且つ軸筒２内に軸方向に移動可能に収容される軸部４３と、を備える。前記クリップ部４２は、ポケット等の衣服を挟持可能である。前記操作部４は、合成樹脂（例えば、ポリカーボネート樹脂）の成形体により得られる。前記クリップ部４２の裏面（内面）に玉部４４が突設される。前記基部４１と前記クリップ部４２、前記基部４１と前記軸部４３、前記クリップ部４２と前記玉部４４のそれぞれは、一部材により一体に形成されるかまたは二分材の組立により形成される。
【００４５】
前記操作部４の基部４１が前記スライド孔２２に沿って軸方向に移動可能である。前記操作部４を前方に押圧操作することによって、筆記体３のペン先３１が軸筒２の前端孔２１から出没自在に構成される。
【００４６】
・ロック装置
前記ロック装置は、摩擦部７前方の軸筒２外面に取り付けられたロック部材８と、該ロック部材８と係脱自在の、操作部４外面に設けた係合部９とからなる。前記係合部９は、径方向外方に突出する凸部からなる。前記ロック部材８は、コ字状の線状体からなり、その一端が軸筒２外面に回動自在に取り付けられ、その他端が操作部４の係合部９に係脱自在となる。
前記係合部９は、操作部４の後端部に形成される。
【００４７】
前記ロック装置のロック部材８が操作部４の係合部９と係合状態にあるとき、前記操作部４の前方移動が阻止され、一方、前記ロック装置のロック部材８と操作部４の係合部９との係合が解除された状態にあるとき、前記操作部４の前方移動が可能となる。
【００４８】
・ペン先の出没
ペン先没入状態から操作部４を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００４９】
ペン先突出状態から操作部４を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００５０】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２２の全体もしくは後軸２ｃの全体が弾性材料により一体に形成される構成が挙げられる。
【００５１】
・熱変色性インキ
本実施の形態において、前記熱変色性インキ３３は、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００５２】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００５３】
本実施の形態では、図１８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００５４】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００５５】
本実施の形態の熱変色性筆記具１は、ペン先没入状態における前記操作部４の前方への移動を阻止するロック装置を、前記摩擦部７より前方の軸筒２外面に設けたことにより、携帯時や摩擦操作時、ロック装置をロック状態にすることによって、操作部４を誤って前方に押圧操作することを回避でき、しかも、ロック状態のロック装置が摩擦操作性を阻害することなく、円滑な摩擦操作が可能となる。
【００５６】
本実施の形態の熱変色性筆記具１は、前記ロック装置が、一方が前記軸筒２に接続され且つ他方が操作部４の係合部９に係脱自在に構成されるロック部材８を備えることにより、部品点数の少ない簡易なロック装置を得る。
【００５７】
＜第３の実施の形態＞
図１１及び図１５に本発明の第３の実施の形態を示す。
本実施の形態の熱変色性筆記具１は、軸筒２と、該軸筒２内に収容される筆記体３と、該筆記体３のペン先３１を軸筒２の前端孔２１より出没自在にさせる出没機構と、軸筒２の側壁より径方向外方に突出された操作部４と、ペン先没入状態における前記操作部４の前方への移動を阻止するロック装置と、軸筒２の後端部外面に設けた摩擦部７とを備える。
【００５８】
本実施の形態の熱変色性筆記具１は、軸筒２と、該軸筒２内に収容される筆記体３と、該筆記体３のペン先３１を軸筒２の前端孔２１より出没自在にさせる出没機構と、軸筒２の側壁より径方向外方に突出された操作部４と、ペン先没入状態における前記操作部４の前方への移動を阻止するロック装置と、軸筒２の後端部外面に設けた摩擦部７とを備える。
【００５９】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００６０】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００６１】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００６２】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００６３】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００６４】
・操作部
前記操作部４は、軸筒２側壁の軸方向に延びるスライド孔２２より径方向外方に突出される基部４１と、該基部４１より前方に連設されるクリップ部４２と、該基部４１より連設され且つ軸筒２内に軸方向に移動可能に収容される軸部４３と、を備える。前記クリップ部４２は、ポケット等の衣服を挟持可能である。前記操作部４は、合成樹脂（例えば、ポリカーボネート樹脂）の成形体により得られる。前記クリップ部４２の裏面（内面）に玉部４４が突設される。前記基部４１と前記クリップ部４２、前記基部４１と前記軸部４３、前記クリップ部４２と前記玉部４４のそれぞれは、一部材により一体に形成されるかまたは二分材の組立により形成される。
【００６５】
前記操作部４の基部４１が前記スライド孔２２に沿って軸方向に移動可能である。前記操作部４を前方に押圧操作することによって、筆記体３のペン先３１が軸筒２の前端孔２１から出没自在に構成される。
【００６６】
・ロック装置
前記ロック装置が、軸筒２の外面に周方向に回転可能且つ軸方向移動不能に取り付けられる、切り欠き部８１を有する横断面Ｃ字状のロック部材８からなる。前記ロック部材８の切り欠き部８１以外の部分を前記操作部４よりも前方の前記スライド孔２２上に位置させた状態にあるとき、前記操作部４の前方への移動が阻止され、一方、前記ロック部材８の切り欠き部８１を前記操作部４よりも前方の前記スライド孔２２上に位置させた状態にあるとき、前記操作部４の前方への移動が可能となる。
【００６７】
・ペン先の出没
ペン先没入状態から操作部４を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００６８】
ペン先突出状態から操作部４を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００６９】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２２の全体もしくは後軸２ｃの全体が弾性材料により一体に形成される構成が挙げられる。
【００７０】
・熱変色性インキ
本実施の形態において、前記熱変色性インキ３３は、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００７１】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００７２】
本実施の形態では、図１８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００７３】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００７４】
本実施の形態の熱変色性筆記具１は、ペン先没入状態における前記操作部４の前方への移動を阻止するロック装置を、前記摩擦部７より前方の軸筒２外面に設けたことにより、携帯時や摩擦操作時、ロック装置をロック状態にすることによって、操作部４を誤って前方に押圧操作することを回避でき、しかも、ロック状態のロック装置が摩擦操作性を阻害することなく、円滑な摩擦操作が可能となる。
【００７５】
本実施の形態の熱変色性筆記具１は、前記ロック装置が、軸筒２の外面に周方向に回転可能且つ軸方向移動不能に取り付けられる、切り欠き部８１を有する横断面Ｃ字状のロック部材８を備え、前記ロック部材８の切り欠き部８１以外の部分を前記操作部４よりも前方の前記スライド孔２２上に位置させた状態にあるとき、前記操作部４の前方への移動が阻止され、一方、前記ロック部材８の切り欠き部８１を前記操作部４よりも前方の前記スライド孔２２上に位置させた状態にあるとき、前記操作部４の前方への移動が可能となることにより、部品点数の少ない簡易なロック装置を得るとともに、ロック装置によってクリップの外観性が損なわれることがない。
【００７６】
＜第４の実施の形態＞
図１６及び図１７に本発明の第４の実施の形態を示す。
本実施の形態の熱変色性筆記具１は、軸筒２と、該軸筒２内に収容される筆記体３と、該筆記体３のペン先３１を軸筒２の前端孔２１より出没自在にさせる出没機構と、軸筒２の側壁より径方向外方に突出された操作部４と、ペン先没入状態における前記操作部４の前方への移動を阻止するロック装置と、軸筒２の後端部外面に設けた摩擦部７とを備える。
【００７７】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００７８】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００７９】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００８０】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５（可動部）と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００８１】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００８２】
・操作部
前記操作部４は、軸筒２側壁の軸方向に延びるスライド孔２２より径方向外方に突出される基部４１と、該基部４１より前方に連設されるクリップ部４２と、該基部４１より連設され且つ軸筒２内に軸方向に移動可能に収容される軸部４３と、を備える。前記クリップ部４２は、ポケット等の衣服を挟持可能である。前記操作部４は、合成樹脂（例えば、ポリカーボネート樹脂）の成形体により得られる。前記クリップ部４２の裏面（内面）に玉部４４が突設される。前記基部４１と前記クリップ部４２、前記基部４１と前記軸部４３、前記クリップ部４２と前記玉部４４のそれぞれは、一部材により一体に形成されるかまたは二分材の組立により形成される。
【００８３】
前記操作部４の基部４１が前記スライド孔２２に沿って軸方向に移動可能である。前記操作部４を前方に押圧操作することによって、筆記体３のペン先３１が軸筒２の前端孔２１から出没自在に構成される。
【００８４】
・ロック装置
前記ロック装置が、軸筒２の側壁外面に回動自在に取り付けられたロック部材８からなる。
前記ロック部材８は、中間部が前記軸筒２側壁外面にヒンジ部により回動自在に取り付けられ、一端部の径方向内面に軸筒２内壁より径方向内方に出没可能に設けられた係合凸部８２が設けられ、他端部が前記係合凸部８２を径方向外方に引き上げる解除部８３となる。
【００８５】
前記ロック部材８の一端部を径方向内方に押圧することにより、前記係合凸部８２が軸筒２側壁の貫通孔２４を通して軸筒２側壁内面より径方向内方に突出され、係合凸部８２が回転部材５の係合部９（回転部材５の外壁）に係合し、前記回転部材５の前方移動が阻止される。それにより、前記操作部４の前方移動が阻止される。一方、前記ロック部材８の他端部の解除部８３を径方向内方に押圧することにより、前記係合凸部８２が径方向外方に引き上げられ、係合凸部８２と回転部材５の係合部９との係合状態が解除され、回転部材５が前後方向に移動可能となり、それに伴い操作部４が前後方向に移動可能となる。すなわち、前記ロック装置のロック部材８と回転部材５（可動部）の係合部９とが係合状態にあるとき、前記操作部４の前方移動が阻止され、一方、前記ロック装置のロック部材８と回転部材５（可動部）との係合が解除された状態にあるとき、前記操作部４の前方移動が可能となる。
【００８６】
・ペン先の出没
ペン先没入状態から操作部４を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００８７】
ペン先突出状態から操作部４を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００８８】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２２の全体もしくは後軸２ｃの全体が弾性材料により一体に形成される構成が挙げられる。
【００８９】
・熱変色性インキ
本実施の形態において、前記熱変色性インキ３３は、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００９０】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００９１】
本実施の形態では、図１８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００９２】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００９３】
本実施の形態の熱変色性筆記具１は、ペン先没入状態における前記操作部４の前方への移動を阻止するロック装置を、前記摩擦部７より前方の軸筒２外面に設けたことにより、携帯時や摩擦操作時、ロック装置をロック状態にすることによって、操作部４を誤って前方に押圧操作することを回避でき、しかも、ロック状態のロック装置が摩擦操作性を阻害することなく、円滑な摩擦操作が可能となる。
【００９４】
本実施の形態の熱変色性筆記具１は、前記軸筒２内部に、前記操作部４のスライド操作に連動して軸方向に移動可能な可動部５を備え、前記ロック装置が、一方が前記軸筒２に接続され且つ他方が前記可動部５の係合部９に係脱自在に構成されたロック部材８を備えることにより、部品点数の少ない簡易なロック装置を得るとともに、ロック装置によってクリップの外観性が損なわれることがない。
【符号の説明】
【００９５】
１  熱変色性筆記具
２  軸筒
２ａ  前軸
２ｂ  中間軸
２ｃ  後軸
２１  前端孔
２２  スライド孔
２３  取付孔
２４  貫通孔
３  筆記体
３１  ペン先
３２  インキ収容管
３３  熱変色性インキ
３４  追従体
４  操作部
４１  基部
４２  クリップ部
４３  軸部
４４  玉部
５  回転部材（可動部）
６  弾発体
７  摩擦部
８  ロック部材
８１  切り欠き部
８２  係合凸部
８３  解除部
９  係合部
【図１】
2015006732.tif 000003
【図２】
2015006732.tif 000004
【図３】
2015006732.tif 000005
【図４】
2015006732.tif 000006
【図５】
2015006732.tif 000007
【図６】
2015006732.tif 000008
【図７】
2015006732.tif 000009
【図８】
2015006732.tif 000010
【図９】
2015006732.tif 000011
【図１０】
2015006732.tif 000012
【図１１】
2015006732.tif 000013
【図１２】
2015006732.tif 000014
【図１３】
2015006732.tif 000015
【図１４】
2015006732.tif 000016
【図１５】
2015006732.tif 000017
【図１６】
2015006732.tif 000018
【図１７】
2015006732.tif 000019
【図１８】
2015006732.tif 000020